(57)【特許請求の範囲】
【請求項１】
複数のパチンコ機が並設されると共に、パチンコ玉を上部に揚送する玉揚送装置を設置し、該玉揚送装置で揚送されたパチンコ玉を補給樋によって前記複数のパチンコ機に供給すると共に各パチンコ機で使用されたパチンコ玉をまとめて回収して前記玉揚送装置へ導入するアウト玉回収手段が内蔵されたパチンコ島台において、
前記複数のパチンコ機の各々には、当該パチンコ機で獲得した景品玉を計数する計数手段と、当該パチンコ機の裏面側から排出されたパチンコ玉を受け入れる受入手段と、が各パチンコ機の下方に設置され、
前記計数手段の排出口から排出されて落下するパチンコ玉及び前記受入手段の排出口から排出されて落下するパチンコ玉を受け止める玉受け部が、前記アウト玉回収手段の側方端面に向かって下り傾斜する前記パチンコ島台内の各パチンコ機の下方に所定の高さ寸法を有して形成される玉受け空間の底面である傾斜底面に設けられ、
前記玉受け部は、落下するパチンコ玉が衝突する被衝突部材と、該被衝突部材をパチンコ島台本体に対して隙間を形成して支持する支持部材と、を有すると共に、前記傾斜底面に向かって開放した開口部を有し、
前記計数手段の排出口及び前記受入手段の排出口からそれぞれ排出されて落下するパチンコ玉の衝撃を前記玉受け部の前記被衝突部材で受け止めた後、前記開口部から前記傾斜底面の傾斜下端を流下して前記アウト玉回収手段の側方側から流下させることを特徴とするパチンコ島台。
【発明の詳細な説明】
【０００１】
【発明の属する技術分野】
本発明は、複数のパチンコ機が並設されると共に、パチンコ玉を上部に揚送する玉揚送装置を設置し、該玉揚送装置で揚送されたパチンコ玉を補給樋によって前記複数のパチンコ機に供給すると共に各パチンコ機で使用されたパチンコ玉をまとめて回収して前記玉揚送装置へ導入するアウト玉回収手段が内蔵されたパチンコ島台に関するものである。
【０００２】
【従来の技術】
近年、遊技者が獲得したパチンコ玉を景品交換所に運ぶことなくパチンコ機毎に対応して設置された計数装置を介して直接パチンコ島台に返却するキャリーレスシステムが提案されているが、このようなキャリーレスシステムのパチンコ島台では、パチンコ機の裏面側から排出される使用済玉ばかりでなく景品玉も計数装置を介してパチンコ島台内に返却されるため、多量のパチンコ玉がアウト玉回収樋で回収されていた。
【０００３】
しかして、この計数装置からアウト玉回収樋へパチンコ玉が排出される構造は、特開平９−１５５０５８号に（以下、先行技術という）に示されるように、計数装置から排出樋へ直接パチンコ玉を落下させるというものであった。
【０００４】
【発明が解決しようとする課題】
しかし、直接アウト玉回収樋上にパチンコ玉を落下させる構造であると、アウト玉回収樋の損傷が著しいばかりでなく、アウト玉回収樋が破損して修理または交換をする場合に、このアウト玉回収樋に対応するパチンコ機すべてを停止させなければならなかった。本発明は、上記した事情に鑑みなされたものであり、その目的とするところは、アウト玉回収樋を損傷させることなく、パチンコ機の裏面側から排出される使用済玉や計数装置を介して返却される景品玉をアウト玉回収樋に移送することができるパチンコ島台を提供することにある。
【０００５】
【課題を解決するための手段】
上記した目的を達成するために、請求項１に記載の発明においては、複数のパチンコ機が並設されると共に、パチンコ玉を上部に揚送する玉揚送装置を設置し、該玉揚送装置で揚送されたパチンコ玉を補給樋によって前記複数のパチンコ機に供給すると共に各パチンコ機で使用されたパチンコ玉をまとめて回収して前記玉揚送装置へ導入するアウト玉回収手段が内蔵されたパチンコ島台において、前記複数のパチンコ機の各々には、当該パチンコ機で獲得した景品玉を計数する計数手段と、当該パチンコ機の裏面側から排出されたパチンコ玉を受け入れる受入手段と、が各パチンコ機の下方に設置され、前記計数手段の排出口から排出されて落下するパチンコ玉及び前記受入手段の排出口から排出されて落下するパチンコ玉を受け止める玉受け部が、前記アウト玉回収手段の側方端面に向かって下り傾斜する前記パチンコ島台内の各パチンコ機の下方に所定の高さ寸法を有して形成される玉受け空間の底面である傾斜底面に設けられ、前記玉受け部は、落下するパチンコ玉が衝突する被衝突部材と、該被衝突部材をパチンコ島台本体に対して隙間を形成して支持する支持部材と、を有すると共に、前記傾斜底面に向かって開放した開口部を有し、前記計数手段の排出口及び前記受入手段の排出口からそれぞれ排出されて落下するパチンコ玉の衝撃を前記玉受け部の前記被衝突部材で受け止めた後、前記開口部から前記傾斜底面の傾斜下端を流下して前記アウト玉回収手段の側方側から流下させることを特徴とするものである。
【０００６】
このように構成することにより、計数手段及び受入手段から排出されるパチンコ玉をそのパチンコ玉がアウト玉回収手段に直接落下することなく、玉受け部で一旦受け止め、衝撃を吸収させてからアウト玉回収手段に移送させるため、アウト玉回収手段の損傷が防止でき、他のパチンコ機の稼動を停止させたり、アウト玉回収手段を流下するパチンコ玉を止めたりすることがない。
【０００７】
また、前記玉受け部は、複数台のパチンコ機毎に設けたことにより、玉受け部が損傷した場合でも、損傷した玉受け部だけを独立して修理または交換することができるため、他のパチンコ機の稼動を停止させたりアウト玉回収樋を流下するパチンコ玉を止めたりすることがない。
【０００８】
【０００９】
【００１０】
【００１１】
【発明の実施の形態】
以下、図面を参照して本発明の実施形態について説明する。まず、図１を参照して、本実施形態に係るパチンコ島台１の概略構成について説明する。図１は、実施形態に係るパチンコ島台１の内部を示す側面図である。
【００１２】
図において、パチンコ島台１は、周知のように、直方体状に枠組み構成され、その長手方向両面に複数のパチンコ機２を背向列設するようになっている。また、パチンコ島台１には、各パチンコ機２に挟持されるように台間玉貸機３が設けられており、この台間玉貸機３はパチンコ機２と１対１対応するように設けられていると共に、硬貨または紙幣、あるいはプリペイドカードまたは貯玉カードによりパチンコ玉を貸し出すようになっている。また、パチンコ島台１には、遊技により獲得した景品玉を計数するための後述する計数手段としての計数ユニット９０，前記プリペイドカードまたは貯玉カード等の取込，排出をおこなう取込排出装置（図示しない），獲得玉数等を表示する情報表示部（図示しない），及び景品玉をレシートまたはカード等に交換する景品交換装置（図示しない）が各パチンコ機２毎に設けられている。各パチンコ機２毎に上記のような各種の装置が設けられているため、獲得した景品玉数を即座に知ることができると共に、その玉数をレシートまたはカード等に記憶させて景品と交換することができるので、パチンコ玉を景品交換所に運ぶ必要がない。更に、前記カード等にはカードを識別するために必要なＩＤ番号が記憶されていると共に、各パチンコ機２毎にカード盗難防止装置が設けられているので、カード等が悪用されたり、盗難される心配がない。
【００１３】
また、パチンコ島台１のほぼ中央には、玉揚送装置４が収納される玉揚送装置収納部５が立設されている。本実施形態に係る玉揚送装置４は、帯状の搬送ベルトによってパチンコ玉を揚送するものであり、その帯状の搬送ベルトがパチンコ島台１の長手方向と直交するように配置されて下部の導入樋４ａから導入したパチンコ玉を上部に研磨しながら揚送して上部の排出樋４ｂから次に説明する上部タンク６に排出するものである。
【００１４】
玉揚送装置４の上部には、揚送されたパチンコ玉を一時的に貯留する上部タンク６，７が設けられ、該上部タンク６，７からは、各パチンコ機２にパチンコ玉を供給するための補給樋８が、パチンコ島台１の長手方向端部に向かって傾斜状に設けられている。玉揚送装置４により揚送されたパチンコ玉は、まず上部タンク６（以下、上部主タンク６という）につながる補給樋８に最優先で送られ、上部主タンク６でオーバーフローしたパチンコ玉は次に上部タンク７（以下、上部従タンク７という）につながる補給樋８に送られ、更に上部従タンク７でオーバーフローしたパチンコ玉は、図示しないオーバーフローボックスを介してパチンコ島台１の下部にある貯留タンク９のオーバーフロー搬送樋２９に誘導されるようになっている。オーバーフロー搬送樋２９に誘導されたパチンコ玉は、オーバーフロー搬送樋２９の下流端から貯留タンク９の底板２０へ落下し、貯留タンク９に貯留されることとなるが、この貯留タンク９に貯留されたパチンコ玉は、玉揚送装置４により研磨されているため、常にきれいにされた状態のパチンコ玉である。なお、オーバーフローボックスは、玉揚送装置収納部５に一体的に形成されている。
【００１５】
また、補給樋８には、各パチンコ機２にパチンコ玉を誘導する分配シュート（図示しない）が各パチンコ機２に対応して設けられている。分配シュートにより取り込まれたパチンコ玉は、分配シュートの下方に位置する計数装置（図示しない）により玉数が計数された後、パチンコ機２の背面上部に設けられた賞球タンク（図示しない）あるいは台間玉貸機３に供給され、景品玉や遊技玉として使用される。
【００１６】
一方、パチンコ機２から排出される使用済玉は、計数機能を有する受入手段としてのアウト玉回収ボックス５１から下方に排出される。アウト玉回収ボックス５１から排出されたパチンコ玉は、後述する玉受け空間５０を介してパチンコ島台１の両端部からそのほぼ中央に立設される玉揚送装置４の下部に向けて下り傾斜状に設けられるアウト玉回収手段としての第１アウト玉回収樋１０（第１の回収通路の一部）及び第２アウト玉回収樋１１（第２の回収通路の一部）に落下せしめられる。ただし、次に説明する貯留タンク９の上方に設置されるパチンコ機２のアウト玉回収ボックス５１から排出されるパチンコ玉は、貯留タンク９内に設けられる右回収樋２６，左回収樋２７（第３の回収通路）に落下せしめられる。
【００１７】
また、パチンコ機２の下部には、パチンコ島台１に対してほぼ直行するように外側に向かってカウンター台１２が突設されている。該カウンター台１２には、玉箱５８（図４参照）が載置されると共に、遊技者が遊技で獲得し、玉箱５８に貯留した景品玉を返却する機能が付設されており、返却された景品玉は、パチンコ機から排出された使用済玉と同様に玉受け空間５０を介して第１アウト玉回収樋１０及び第２アウト玉回収樋１１に落下せしめられる。
【００１８】
なお、第１アウト玉回収樋１０及び第２アウト玉回収樋１１は、図４及び図７に示すように、簀の子状の誘導レールがパチンコ島台１の中央に長手方向に沿って敷設されると共に、図１に示すように第１アウト玉回収樋１０の下流側の一部は、貯留タンク９内に設けられるようになっており、第２アウト玉回収樋１１は、第２連結樋４４を介して貯留タンク９の後述する第２アウト玉導入口４３（図２，３参照）に接続されている。なお、アウト玉回収樋１０，１１は、簀の子状の誘導レールに限らず、ベルトコンベア等により構成されるものであってもよい。
【００１９】
更に、貯留タンク９の下流側の外れた上方位置に設置される１台のパチンコ機２から排出されるパチンコ玉は、貯留タンク９の後述する第１アウト玉導入口４１（図２，３参照）に接続される外部回収通路１３に落下せしめられる。なお、多くの場合、貯留タンク９の下流側の外れた上方位置に設置されるパチンコ機２の台数は、図に示す実施形態と同様に１台であるが、必ずしも１台に限定されるわけではない。
【００２０】
図示の実施形態においては、玉揚送装置４の一側側方には貯留タンク９が設けられているが、貯留タンク９は、パチンコ機２の横幅寸法の約２〜３台分に相当する長さに形成されており、パチンコ島台１に設置される複数の玉箱５８の総容量と同じ程度の容量となるよう設計されている。
【００２１】
そこで、貯留タンク９のより詳細な構造について図２及び図３を参照して説明する。図２は、貯留タンク９の内部を透写した状態の斜視図であり、図３は、貯留タンク９内のパチンコ玉の合流部３１を透写した状態の拡大斜視図である。
【００２２】
貯留タンク９は、パチンコ島台１のカウンター台１２より下方の下部空間に設置される上面が開放した直方体状のタンク基台によって構成されている。タンク基台は、底板２０と側板２１と後板２２と前板２３とからなり、底板２０は、後板２２から前板２３に向かって下方に傾斜していると共に、右側板２１（図示省略）に向かっても僅かに下方に傾斜しており、その傾斜に沿って底板２０と右側の側板２１とによる隅角部に後に詳述する貯留玉バイパス誘導路２４及びアウト玉バイパス誘導路２５が設けられている。
【００２３】
また、底板２０の下流端は、前板２３と間隔を持って設けられ、貯留玉バイパス誘導路２４の下流端とほぼ一致する位置に形成されている。この底板２０の下流端端面からは、第１合流部３１を形成する合流底板４２が前板２３に向かって下方に傾斜して設けられ、その第１合流部３１の末端部に相当する前板２３には、導出口３３が開設される。この導出口３３の外側には、玉揚送装置４の導入樋４ａに接続される第１連結樋３４（図１参照）が止着されるようになっている。また、タンク基台の底板２０の下流端には、底板２０を流下するパチンコ玉をその傾斜にしたがって導くためのほぼ三角状の誘導板（図示しない）が固着されており、その誘導板の誘導先に前記第１合流部３１が形成されている。
【００２４】
また、貯留タンク９の内部には、その上部の長手方向右側に右回収樋２６、長手方向左側に左回収樋２７が所定の間隔を持って設けられている。この右回収樋２６及び左回収樋２７は、後板２２側から前板２３側に向かって下り傾斜しており、その傾斜下端である前板２３側の端面は前板２３と間隔を持って設けられている。また、右回収樋２６及び左回収樋２７の貯留タンク９の内側方向の端面には、上方に向かってそれぞれ誘導仕切板２８が設けられており、この誘導仕切板２８と右回収樋２６及び左回収樋２７により、パチンコ玉を誘導する空間が形成されている。誘導仕切板２８には、前端下部に切欠部２８ａが設けられ、その切欠部２８ａの長手方向端部は回収樋２６，２７の下流端（前端）とほぼ同じ位置に形成されている。
【００２５】
ところで、右回収樋２６では、パチンコ島台１の右回収樋２６側で、貯留タンク９の上方位置に設置されたパチンコ機２から排出される使用済玉が回収され、左回収樋２７では同じくパチンコ島台１の左回収樋２７側で、貯留タンク９の上方位置に設置されたパチンコ機２から排出される使用済玉が回収される。なお、右回収樋２６と左回収樋２７とが第３の回収通路を構成するものである。
【００２６】
また、前記した２枚の誘導仕切板２８の間には、貯留タンク９の前板２３から後板２２に向かって下り傾斜するオーバーフロー搬送樋２９が設けられている。オーバーフロー搬送樋２９の前板２３側には、オーバーフロー搬送樋２９の上流端を載置固定するためのオーバーフロー搬送樋固定板３０が設けられ、オーバーフロー搬送樋２９の後板２２側の端面は、後板２２と間隔を持って設けられている。そして、オーバーフロー搬送樋２９及び誘導仕切板２８によりオーバーフローしたパチンコ玉を誘導する空間が形成されている。オーバーフロー搬送樋２９には、玉揚送装置４により研磨されオーバーフローボックスに誘導された研磨済のパチンコ玉がオーバーフローボックスから排出され、その排出されたパチンコ玉は、オーバーフロー搬送樋２９の下流端部にある後板２２との隙間及びオーバーフロー搬送樋２９の側端部と誘導仕切板２８との隙間から貯留タンク９の貯留空間へ落下せしめられる。
【００２７】
また、貯留タンク９の下流端部であって、前記回収樋２６，２７の下方には回収樋２６，２７の端部から下方に向かって圧抜き板４０が垂直に設けられている。この圧抜き板４０は、貯留タンク９の両側板２１間に亘って前板２３と平行状に設けられ、その下部一側の前記アウト玉バイパス誘導路２５の上方部分ではアウト玉バイパス誘導路２５の上面と間隔を持つような切欠部４０ａが形成されている。この圧抜き板４０は、パチンコ玉が多量に貯留されている場合に、貯留玉バイパス誘導路２４，アウト玉バイパス誘導路２５を流下するパチンコ玉以外の貯留されているパチンコ玉の第１合流部３１への流出を確実に行うためのものであると共に、第２アウト玉回収樋１１及び回収樋２６，２７から回収されるパチンコ玉をスムーズに第１合流部３１に合流させるものである。
【００２８】
ところで、上記した第１合流部３１の上流側には、貯留タンク９の隅角部に敷設されるアウト玉バイパス誘導路２５及び貯留玉バイパス誘導路２４の流下端が臨むようになっている。アウト玉バイパス誘導路２５及び貯留玉バイパス誘導路２４は、上下に積層状に構成されるが、下段の貯留玉バイパス誘導路２４は、貯留タンク９の長手方向寸法より若干短い長さであってその上流入口が貯留タンク９の上流部分に臨むと共にその下流出口が合流部３１からやや離れた上流側に臨むようになっている。一方、上段のアウト玉バイパス誘導路２５は、その上流端が貯留タンク９の後板２２に接続されて前記第１アウト玉回収樋１０に連通しており、その下流出口が合流部３１の上流の直前位置に臨むようになっている。つまり、アウト玉バイパス誘導路２５の下流出口が貯留玉バイパス誘導路２４の下流出口よりも上方であってより下流側に臨むようになっている。なお、図示しないが、貯留玉バイパス誘導路２４の中程にも貯留玉を取り入れる取入口が形成されており、貯留タンク９に貯留されているパチンコ玉であって上流部及び中流部に滞留しているパチンコ玉を取り込んで下流側に導き、長時間に亘って滞留玉が一か所に滞ることがないようにしている。また、アウト玉バイパス誘導路２５と貯留玉バイパス誘導路２４とを必ずしも上下に重複させる必要はなく、分離して貯留タンク９内にしてもよいが、この場合でもアウト玉バイパス誘導路２５を流下するパチンコ玉が優先して合流部３１に導かれるようにすればよい。
【００２９】
このように、アウト玉バイパス誘導路２５の下流出口を貯留玉バイパス誘導路２４の下流出口及び底板２０を転動する玉の出口よりも導出口３３側で且つ上部に位置させることにより、アウト玉バイパス誘導路２５からの玉を貯留タンク９に貯留されるパチンコ玉よりも優先的に第１合流部３１に導き、第１アウト玉回収樋１０に使用済みのパチンコ玉が滞留しないようにしている。なお、貯留玉バイパス誘導路２４の流出出口及び底板２０を転動する玉の出口から流出するパチンコ玉の第１合流部３１への誘導においては、それらの間に優劣はなく均等に導かれるものである。また、上記した構成のうち、第１アウト玉回収樋１０とアウト玉バイパス誘導路２５とが第１の回収通路を構成するものである。
【００３０】
ところで、上記した圧抜き板４０と前板２３との間の空間は、仕切板３５により区画され、その前板２３側はアウト玉誘導部３６を、圧抜き板４０側は第２合流部３２を形成している。このアウト玉誘導部３６と第２合流部３２とについて、以下、詳細に説明する。まず、アウト玉誘導部３６は、第２アウト玉回収樋１１によって回収されるパチンコ玉を第１合流部３１へスムーズに誘導するためのものであり、第１誘導板３７と仕切板３５と区画壁３８とアウト玉誘導樋３９と前板２３とから形成されている。
【００３１】
第１誘導板３７は、誘導仕切板２８の切欠部２８ａの下方に前板２３から貯留タンク９の内側に向かって切欠部２８ａのほぼ中央まで下り傾斜して固着されており、その上流端に対応する前板２３には、第１アウト導入口４１が開設されている。この第１アウト導入口４１は、前記オーバーフロー搬送樋固定板３０の下方に位置し、前記外部回収通路１３によって回収されるパチンコ玉を第１誘導板３７上へ導入するものである。そして、第１誘導板３７は、外部回収通路１３へ導入されたパチンコ玉を後述する第２誘導板４５へスムーズに誘導するためのものである。
【００３２】
仕切板３５は、上記した第１誘導板３７の流下端から前記前板２３と平行状に設けられるものであり、その第１合流部３１に当たる部分には切欠部３５ａが形成されている。切欠部３５ａの幅寸法は、合流底板４２の幅寸法より若干小さく、高さ位置は、前記圧抜き板４０の切欠部４０ａの高さ位置とほぼ同じである。
【００３３】
また、区画板３８は、前板２３の正面中央よりやや左寄りの位置に、前板２３から圧抜き板４０に亘って設けられており、第１誘導板３７の下面から下方に向かって垂直に設けられる。
【００３４】
また、アウト玉誘導樋３９は、前板２３から仕切板３５に亘って設けられており、区画板３８から合流底板４２に向かって下り傾斜して形成されると共に、その下流端は、第１合流部３１に臨むように形成されている。前板２３には、第２アウト導入口４３が開設され、この第２アウト導入口４３の外側には、第２連接樋４４（図１参照）が止着されている。第２連接樋４４は、第２アウト玉回収樋１１によって回収されるパチンコ玉を貯留タンク９に導くものである。以上のように第２アウト玉導入口４３によって導かれたパチンコ玉は、アウト玉誘導樋３９及び仕切板３５により第１合流部３１へスムーズに誘導される。なお、上記した構成のうち第２アウト玉回収樋１１と第２連接樋４４とが第２の回収通路を構成するものである。
【００３５】
次に、第２合流部３２は、左回収樋２７から回収されるパチンコ玉と右回収樋２６から回収されるパチンコ玉を事前に合流させ、その後第１合流部３１へスムーズに合流するためのものであり、仕切板３５と圧抜き板４０との間に第２誘導板４５，第３誘導板４６，第４誘導板４７とが段差状に交互に逆向き傾斜して設けられている。上段に固定される第２誘導樋４５は、左側板２１から右回収樋２６に向かって下り傾斜しており、前記左回収樋２７及び前記第１誘導板３７に導かれたパチンコ玉を中段に固定される第３誘導板４６に導く。この中段に固定される第３誘導板４６は、右側板２１側から区画板３８の中程に向かって下り傾斜しており、前記第２誘導板４５及び右回収樋２６に導かれたパチンコ玉を下段に固定される第４誘導板４７に導く。下段に固定される第４誘導板４７は、区画板３８から合流底板４２に向かって下り傾斜しており、前記第３誘導板４６に導かれたパチンコ玉を第１合流部３１に導くようになっている。
【００３６】
以上のように、回収樋２６，２７及び第１アウト玉導入口４１から導入されたパチンコ玉は、第１誘導板３７及び第２合流部３２を構成する第２誘導板４５，第３誘導板４６及び第４誘導板４７によりスムーズに第１合流部３１に誘導される。なお、上記した第２誘導板４５乃至第４誘導板４７の上面全体には、落下してきたパチンコ玉の衝撃を緩和する緩衝部材４８（ゴムまたは合成樹脂で形成されている）が貼着されている。
【００３７】
次に、本実施形態に係るパチンコ機２からのアウト玉及び玉箱５８からの景品玉である返却玉のパチンコ島台１内への返却経路について図４乃至図７を参照して説明する。図４は、実施形態に係るパチンコ島台１の内部を示す断面図であり、図５は、玉箱５８がカウンター台１２に載置された状態を示す拡大断面図であり、図６は、玉箱５８全体の斜視図であり、図７は、カウンター台１２及びパチンコ島台１の内部を示す斜視図である。
【００３８】
まず、後述する玉受け部６４が設置される玉受け空間５０について説明する。図４に示すように、パチンコ島台１の内部であってパチンコ機２の下方には、前面区画板５２、上部区画板５３、玉受け空間底板５４及び側面区画板５５（図７参照）により形成される玉受け空間５０が形成されている。また、向かい合う一対の玉受け空間５０の間には、前述のアウト玉回収樋１０，１１が位置しており、前記玉受け空間底板５４は、前面区画板５２からアウト玉回収樋１０，１１に向かって下り傾斜している。また、玉受け空間底板５４のアウト玉回収樋１０，１１側の端面は、パチンコ島台１中央に向かって傾斜するアウト玉回収樋１０，１１とほぼ平行に設けられているため、玉受け空間底板５４は、パチンコ島台１の長手方向外側からパチンコ島台１中央に向かっても傾斜することになる。ここで、前記上部区画板５３は、パチンコ島台１に平行に設けられているので、玉受け空間５０の高さ寸法は、パチンコ島台１の長手方向外側から中央に向かって除々に大きくなっている。玉受け空間底板５４の上面ほぼ中央部には、後に詳述する玉受け部６４が設置されており、この玉受け部６４の上方には、アウト玉回収ボックス５１から排出される使用済玉の排出口である蛇腹５６及び、玉箱５８から排出される返却玉の排出口である計数玉通路５７が玉受け部６４を臨むように形成されている。この計数玉通路５７は、計数ユニット９０の一部であり、返却玉の計数を効率よく行うために複数列に設けられている。
【００３９】
次に、パチンコ機２の裏面側から排出されるアウト玉のパチンコ島台１内への返却経路について説明する。パチンコ機２下方にある上部区画板５３上には、上面が開口した箱状部材で形成されたアウト玉回収ボックス５１がパチンコ機２の下方に位置するように設置されている。アウト玉回収ボックス５１の底面は、底面の中心に向かってロート状に形成されると共に、中心にはパチンコ玉の排出口（図示しない）が開口し、排出口の先には、排出玉通路６７が設けられている。排出玉通路６７の下流端には、排出玉数を計数するカウントセンサー６８が設置されると共に、カウントセンサー６８の下部には、前記蛇腹５６が接続されている。しかして、パチンコ機２から排出されたアウト玉は、アウト玉回収ボックス５１により回収され、排出玉通路６７を通過しカウントセンサー６８により玉数が計数された後、玉受け部６４上に排出され、アウト玉回収樋１０，１１へ移送される。
【００４０】
次に、玉箱５８から返却される返却玉のパチンコ島台１内への返却経路について説明する。カウンター台１２上には、遊技台２から排出された景品玉を貯留すると共に、貯留された景品玉を玉受け部６４上に排出する玉箱５８が載置される。玉箱５８のパチンコ機２側の下部側方には景品玉返却装置７０が設けられると共に、玉箱５８の下部に形成される脚部７１の遊技者側下方には玉箱５８を固定するための嵌合穴７２が設けられている。また、玉箱５８の底面は、図６に示すように景品玉返却装置７０を挟んで両サイドがパチンコ機２側から遊技者側に向かって下降傾斜する上部傾斜面７３を形成し、上部傾斜部７３に挟まれた中央部分は、上部傾斜面７３とは逆の傾斜の下部傾斜面７４を形成していると共に、下部傾斜面７４の下流端は、景品玉返却装置７０に連接している。景品玉返却装置７０には、景品玉導入口７５及びオーバーフロー玉導入口７６が設けられ、景品玉返却装置７０の内部には、景品玉導入口７５を開閉するための開閉板７７が内蔵されており、開閉板７７には、その回転中心に歯車７８が設けられている。更に、景品玉返却装置７０の下方には、景品玉導入口７５及びオーバーフロー玉導入口７６から導入されたアウト玉を排出する景品玉導出口７９が設けられている。
【００４１】
また、カウンター台１２には、図７に示すように中央部分に玉箱５８を載置するための玉箱載置部８０が凹状に形成され玉箱５８を所定の位置に載置するようになっており、該玉箱載置部８０の側方には、開閉板７７を操作するための玉箱操作スイッチ８１が設置されている。また、カウンター内部には、２個のキープソレノイドが内蔵されており、１個は、その先端に固着された嵌合ピン８２が玉箱載置部８０の側壁面から突出するように遊技者側からパチンコ機側に向かってカウンター台１２先端右側内部に設けられる第１キープソレノイド８４であり、他の１個は、その先端に固着されたラック８３がカウンター台１２上面から突出するように垂直方向に設けられる第２キープソレノイド８５である。更に、玉箱載置部８０には、景品玉導出口７９に対応する位置に景品玉落下口８６が設けられ、その景品玉落下口８６は、カウンター台１２の下部に設けられた複数の計数玉通路５７に連通すると共に、計数玉通路５７の下流端には、計数ユニット取付板９３に支持された計数ユニット９０が設けられている。この計数ユニット９０は、磁気センサである第１センサ９１及び第２センサ９２の２種のセンサから構成されており、第１センサ９１の上に第２センサ９２を積層した構成になっている。この第１センサ９１及び第２センサ９２は、各センサから出る配線が互いに１８０度の方向になると共に、各センサのパチンコ玉通過孔（図示しない）が重なるように配置されている。また、この第１センサ９１及び第２センサ９２は、前記複数の計数玉通路５７毎に設けられるものである。このように構成された計数ユニット９０のパチンコ玉が通過した際、計数ユニット９０からパチンコ機２に内蔵されるＪＣカウントユニット基板（図示しない）へ計数情報の信号が送られることになっている。この計数ユニット９０を通過するパチンコ玉は、第１センサ９１及び第２センサ９２の両センサに検知されることによって通過玉として認識され、前記ＪＣカウントユニット基板へ計数情報の信号が送られる。
【００４２】
なお、計数ユニット９０が上記のように第１センサ９１及び第２センサ９２の２種のセンサから構成されているのは、不正行為を防止するためである。通常、計数ユニット９０を通過するパチンコ玉は、第２センサ９２，第１センサ９１の順番に検知されるものであるが、逆の順に、即ち、第１センサ９１，第２センサ９２の順にパチンコ玉が検知された場合には、異常状態である旨を報知するようになっている。即ち、例えば、糸や針金などをつないだパチンコ玉を計数ユニット９０に通過させてセンサを検知させた後、パチンコ玉を引き戻した際、パチンコ玉が第１センサ９１，第２センサ９２の順に検知されるため、異常状態である旨の報知がなされ、不正行為が行われたことがわかるようになっている。
【００４３】
しかして、玉箱５８を玉箱載置部８０に載置した際、嵌合ピン８２が第１キープソレノイド８４により押し出され嵌合穴７２に挿入されることにより玉箱５８が固定される。玉箱５８が玉箱載置部８０に載置された際、歯車７８とラック８３が噛み合うため、第２キープソレノイド８５によりラック８３を上下動させることで開閉板７７を開閉できる状態になる。この状態で玉箱操作スイッチ８１を押すことにより第２キープソレノイド８５に通電され、第２キープソレノイド８５が励磁されてラック８３が吸引されるため開閉板７７が上方に回転し、アウト玉導入口７６が開放される。なお、開閉板７７の下端部隅にはストッパー８７が設けられており、アウト玉導入口７６が開放した際、景品玉導入口７５の上縁にストッパー８７が当接するため、開閉板７７を所定の位置で停止させることができる。
【００４４】
玉箱５８に貯留された景品玉は、上記のようにアウト玉導入口７６を開放することにより計数ユニット９０で景品玉数が計数された後、玉受け部６４上に排出され、アウト玉回収樋１０，１１へ移送される。なお、多量の景品玉が玉箱に貯留された場合にアウト玉導入口７６が閉塞されていても、オーバーフロー玉導入口７６から景品玉が導出されるため、玉箱５８の外へ溢れ出ることはない。
【００４５】
次に、本実施形態の要部を構成する玉受け部６４の構造について、図８及び図９を参照して説明する。図８は、第１実施形態に係る玉受け部６４が設置されたパチンコ島台１の内部を示す斜視図であり、図９は、第１実施形態に係る玉受け部６４の内部を示す断面図である。
【００４６】
図８において、玉受け空間底板５４のほぼ中央に設置される玉受け部６４は、支持部材６０、被衝突部材としての第１衝撃吸収部材６１、傾斜台座６３、玉受け装置外枠６５及び被衝突部材としての第２衝撃吸収部材６６により角型形状に形成され、玉受け空間底板５４上面で蛇腹５６及び計数玉通路５７の下方に設置されるものである。その外形寸法は、この玉受け部６４を玉受け空間底板５４に設置した際に、使用済み玉や返却玉が落下する範囲をほぼ覆う程度の寸法である。支持部材６０は、その中央部分に凹部が設けられており、その凹部の深さは、支持部材６０の厚さ寸法のほぼ半分程度である。第１衝撃吸収部材６１は、ゴム状の高分子材料であるエラストマ材により形成される平板状の部材であり、長さ及び幅寸法は、支持部材６０と同じである。この第１衝撃吸収部材６１を支持部材６０の凹部側に固着することにより、支持部材６０と第１衝撃吸収部材６１との間にパチンコ玉の落下衝撃を吸収する隙間としての空間６２が形成される。
【００４７】
また、玉受け装置外枠６５は、上面及び一側面が開口した箱状部材で形成されるものであり、玉受け装置外枠６５の内側から第１衝撃吸収部材６１の上面に亘って内側表面全体に、第１衝撃吸収部材６１と同じくエラストマ材により形成される第２衝撃吸収部材６６が固着されると共に、玉受け装置外枠６５の下面には、傾斜台座６３が固着されている。傾斜台座６３は、玉受け部６４が玉受け空間底板５４上面に設置された際に、玉受け装置外枠６５の開口した一側面が下流側となるような形状に形成されている。なお、玉受け部６４は、着脱が可能なようにビス（図示しない）により玉受け空間底板５４上面に固定されているが、その取り付け方向は、玉受け装置外枠６５の開口した一側面がパチンコ玉の流下方向に向くように取り付けられている。
【００４８】
上記の玉受け部６４に係る実施形態（以下、第１実施形態という）では、支持部材６０は、その中央部分に凹部が設けられているものであるが、一つの凹部ではなく複数の衝撃吸収穴が穿設されたものであってもよい。このような実施形態（以下、第２実施形態という）について図１０及び図１１を参照して説明する。図１０は、第２実施形態に係る玉受け部６４全体の斜視図であり、図１１は、第２実施形態に係る玉受け部６４の内部を示す断面図である。なお、上記した玉受け部６４に係る第１実施形態と同一の部品には、同じ符号を付した。
【００４９】
第２実施形態に係る玉受け部６４は、支持部材６０、傾斜台座６３、玉受け装置外枠６５及び第２衝撃吸収部材６６により角型形状に形成され、第１実施形態に係る玉受け部６４と同様、玉受け空間底板５４上面で蛇腹５６及び計数玉通路５７の下方に設置されるものである。この第２実施形態に係る玉受け部６４の構成は、第１実施形態に係る玉受け部６４において支持部材６０に形成される一つの凹部を複数の貫通穴である隙間としての衝撃吸収穴６９とし、且つ第１衝撃吸収部材６１を除いた以外は、第１実施形態に係る玉受け部６４と同じ構成である。また、第２実施形態に係る玉受け部６４も第１実施形態に係る玉受け部６４と同様に、着脱が可能なようにビス（図示しない）により玉受け空間底板５４上面に固定されており、その取り付け方向は、玉受け装置外枠６５の開口した一側面がパチンコ玉の流下方向に向くように取り付けられている。
【００５０】
以上、パチンコ島台１の詳細な構成について説明してきたが、本実施形態においては、複数のパチンコ機２が並設されると共に、パチンコ玉を上部に揚送する玉揚送装置４を設置し、前記パチンコ機２で使用されたパチンコ玉をまとめて回収して前記玉揚送装置４へ導入するアウト玉回収手樋１０，１１が内蔵されたパチンコ島台１において、前記パチンコ機２毎の下方に設置され、前記パチンコ機２で獲得した景品玉を計数する計数ユニット９０及び前記パチンコ機２の裏面側から排出されたパチンコ玉を受け入れるアウト玉回収ボックス５１から落下するパチンコ玉を受け止める玉受け部６４が、前記計数ユニット９０及び前記アウト玉回収ボックス５１と前記アウト玉回収樋１０，１１との間に設けられたことを特徴とするものである。
【００５１】
このように構成することにより、計数ユニット９０及びアウト玉回収ボックス５１から排出されるパチンコ玉をそのパチンコ玉がアウト玉回収樋１０，１１に直接落下することなく、玉受け部６４で一旦受け止め、衝撃を吸収させてからアウト玉回収樋１０，１１に移送させるため、アウト玉回収樋１０，１１の損傷が防止でき、他のパチンコ機の稼動を停止させたり、アウト玉回収樋１０，１１を流下するパチンコ玉を止めたりすることがない。
【００５２】
また、本実施形態においては、前記玉受け部６４は、複数台のパチンコ機２毎に独立して設けたことにより、玉受け部６４が損傷した場合でも、損傷した玉受け部６４だけを独立して修理または交換することができるため、他のパチンコ機２の稼動を停止させたりアウト玉回収樋１０，１１を流下するパチンコ玉を止めたりすることがない。
【００５３】
また、本実施形態においては、前記玉受け部６４は、落下するパチンコ玉が衝突する被衝突部材と、該被衝突部材をパチンコ島台１本体に対して隙間（空間６２，衝撃吸収穴６９）を形成して支持する支持部材６０とを備えたことにより、衝撃が直接的にパチンコ島台１本体に伝わることを低減でき、パチンコ玉が落下する面の破損，摩耗を防止すると共に、騒音を防止することができる。
【００５４】
また、本実施形態においては、前記玉受け部６４は、落下したパチンコ玉を一方向に導くよう形成したことにより、パチンコ玉が一方向に導出されるため、パチンコ玉をアウト玉回収樋１０，１１の流れにスムーズに合流させることができる。
【００５５】
更に、本実施形態においては、前記被衝突部材は、エラストマ材により形成したことにより、前記玉受け部６４の厚さを薄く構成することができるばかりでなく、薄く構成しても同様の効果が得られ、更に支持部材６０を板金等の加工容易な材料により構成することができるため生産性を高めることができる。
【００５６】
なお、本実施形態において、玉受け空間５０は、各パチンコ機２毎に個別に形成されるものであるが、玉受け空間５０が各パチンコ機２の下方をパチンコ島台１の長手方向に亘って貫通する１つの空間で形成されるものであってもよい。この場合、玉受け部６４も各パチンコ機２の下方をパチンコ島台１の長手方向に亘って形成されるものであってもよい。また、玉受け空間底板５４をそのものを被衝突部材としてもよく、この場合もアウト玉回収樋１０，１１にパチンコ玉が直接落下することがない。更に、前記第１衝撃吸収部材６１及び第２衝撃吸収部材６６は、エラストマで形成されるものに限らず、スポンジ等、他の弾性部材であってもよい。
【００５７】
【発明の効果】
以上、説明したところから明らかなように、請求項１に係る発明においては、複数のパチンコ機が並設されると共に、パチンコ玉を上部に揚送する玉揚送装置を設置し、該玉揚送装置で揚送されたパチンコ玉を補給樋によって前記複数のパチンコ機に供給すると共に各パチンコ機で使用されたパチンコ玉をまとめて回収して前記玉揚送装置へ導入するアウト玉回収手段が内蔵されたパチンコ島台において、前記複数のパチンコ機の各々には、当該パチンコ機で獲得した景品玉を計数する計数手段と、当該パチンコ機の裏面側から排出されたパチンコ玉を受け入れる受入手段と、が各パチンコ機の下方に設置され、前記計数手段の排出口から排出されて落下するパチンコ玉及び前記受入手段の排出口から排出されて落下するパチンコ玉を受け止める玉受け部が、前記アウト玉回収手段の側方端面に向かって下り傾斜する前記パチンコ島台内の各パチンコ機の下方に所定の高さ寸法を有して形成される玉受け空間の底面である傾斜底面に設けられ、前記玉受け部は、落下するパチンコ玉が衝突する被衝突部材と、該被衝突部材をパチンコ島台本体に対して隙間を形成して支持する支持部材と、を有すると共に、前記傾斜底面に向かって開放した開口部を有し、前記計数手段の排出口及び前記受入手段の排出口からそれぞれ排出されて落下するパチンコ玉の衝撃を前記玉受け部の前記被衝突部材で受け止めた後、前記開口部から前記傾斜底面の傾斜下端を流下して前記アウト玉回収手段の側方側から流下させることを特徴とするものである。
【００５８】
このように構成することにより、計数手段及び受入手段から排出されるパチンコ玉をそのパチンコ玉がアウト玉回収樋に直接落下することなく、玉受け部で一旦受け止め、衝撃を吸収させてからアウト玉回収手段に移送させるため、アウト玉回収手段の損傷が防止でき、他のパチンコ機の稼動を停止させたり、アウト玉回収手段を流下するパチンコ玉を止めたりすることがない。
【００５９】
また、前記玉受け部は、複数台のパチンコ機毎に設けたことにより、玉受け部が損傷した場合でも、損傷した玉受け部だけを独立して修理または交換することができるため、他のパチンコ機の稼動を停止させたりアウト玉回収手段を流下するパチンコ玉を止めたりすることがない。
【００６０】
【００６１】
【００６２】
【図面の簡単な説明】
【図１】実施形態に係るパチンコ島台の内部を示す側面図である。
【図２】貯留タンクの内部を透写した状態の斜視図である。
【図３】貯留タンク内のパチンコ玉の合流部を透写した状態の拡大斜視図である。
【図４】実施形態に係るパチンコ島台１の内部を示す断面図である。
【図５】玉箱がカウンター台に載置された状態を示す拡大断面図である。
【図６】玉箱全体の斜視図である。
【図７】カウンター台及びパチンコ島台の内部を示す斜視図である。
【図８】第１実施形態に係る玉受け部が設置されたパチンコ島台の内部を示す斜視図である。
【図９】第１実施形態に係る玉受け部の内部を示す断面図である。
【図１０】第２実施形態に係る玉受け部全体の斜視図である。
【図１１】第２実施形態に係る玉受け部の内部を示す断面図である。
【符号の説明】
１  パチンコ島台
２  パチンコ機
４  玉揚送装置
９  貯留タンク
１０  第１アウト玉回収樋（アウト玉回収手段）
１１  第２アウト玉回収樋（アウト玉回収手段）
５０  玉受け空間
５１  アウト玉回収ボックス（受入手段）
５４  玉受け空間底板
５５  側面区画板
５７  計数玉通路
５８  玉箱
６０  支持部材
６１  第１衝撃吸収部材（被衝突部材）
６２  空間
６４  玉受け部
６５  玉受け装置外枠
６６  第２衝撃吸収部材（被衝突部材）
６８  カウントセンサー
６９  衝撃吸収穴
７０  景品玉返却装置
９０  計数ユニット（計数手段）
【図１】
0004487344.tif 000002
【図２】
0004487344.tif 000003
【図３】
0004487344.tif 000004
【図４】
0004487344.tif 000005
【図５】
0004487344.tif 000006
【図６】
0004487344.tif 000007
【図７】
0004487344.tif 000008
【図８】
0004487344.tif 000009
【図９】
0004487344.tif 000010
【図１０】
0004487344.tif 000011
【図１１】
0004487344.tif 000012